(57)【特許請求の範囲】
【請求項１】
通水部及び接着部を有する容器に、水和反応によって発熱する発熱物質、炭酸塩及び有機酸を内蔵させ、シャワーにより水を供給することによって発熱させる局所温熱構造物。
【請求項２】
発熱物質が、水への標準溶解エンタルピーが−４００〜−５ｋＪ／ｍｏｌ（２５℃）の無機塩又は活性化ゼオライトである請求項１記載の局所温熱構造物。
【発明の詳細な説明】
【０００１】
【発明の属する技術分野】
本発明は、シャワー中に局所を温熱処理することができる局所温熱構造物に関する。
【０００２】
【従来の技術】
温水シャワーは、皮膚表面の温度を高めるとともに、放出される水の水圧によるマッサージ効果も期待でき、全身の血行を活発にして疲労回復、新陳代謝を増加させ、血行障害による様々な症状を緩和できる。しかし、この効果を一層高めるために湯温を高温にすると、交感神経が刺激され、心身が緊張して逆に効果が低下する。
【０００３】
一方、水和反応を利用して皮膚表面の温度を高め、血行を促進する化粧料（特開平８−２６８８２８号、特開平６−１００４１１号）が知られているが、これらを温水シャワーと併用すると、発熱剤が洗い流され、発熱の効果はほとんど得られない。
【０００４】
【発明が解決しようとする課題】
本発明の目的は、シャワー中に優れた温熱効果が得られる局所温熱構造物を提供することにある。
【０００５】
【課題を解決するための手段】
本発明者らは、水和熱によって発熱する発熱物質を特定の容器に内蔵させた局所温熱構造物を用いれば、局所及びその周辺部でシャワー中に優れた温熱効果が得られることを見出した。
【０００６】
すなわち、本発明は、通水部及び接着部を有する容器に、水和反応によって発熱する発熱物質を内蔵させ、シャワーにより水を供給することによって発熱させる局所温熱構造物を提供するものである。
【０００７】
【発明の実施の形態】
本発明で用いる発熱物質は水和反応によって発熱するものであり、例えば種々の無機塩、活性化ゼオライト、アルコール類（エタノール、プロピレンアルコール、グリセリン、ポリエチレングリコール等）等が挙げられる。中でも無機塩及び活性化ゼオライトが好ましい。なお無機塩、活性化ゼオライトは無水塩、含水塩のいずれでもよい。
【０００８】
無機塩及び活性化ゼオライトは、シャワー温湯の温度より高い３７〜５５℃の発熱体が好ましい。そこで無機塩は、水への標準溶解エンタルピー（２５℃）が−４００〜−５ｋＪ／ｍｏｌ、特に−２００〜−１０ｋＪ／ｍｏｌが好ましい。ここで標準溶解エンタルピーとは、液体、固体において、０．１ＭＰａの標準状態にある純物質１ｍｏｌが等温的に水に溶解し、標準状態の溶液を生じた際の溶質１ｍｏｌ当りの溶解エンタルピーを意味し、吸熱を正、発熱を負で示す。具体的には無機塩としては、例えば硫酸マグネシウム（ＭｇＳＯ4 、ＭｇＳＯ4・Ｈ2Ｏ、ＭｇＳＯ4・４Ｈ2Ｏ）、硫酸アルミニウム（Ａｌ2（ＳＯ4）3）、硫酸カルシウム（ＣａＳＯ4、ＣａＳＯ4・１／２Ｈ2Ｏ、ＣａＳＯ4・２Ｈ2Ｏ）等の硫酸塩、塩化カルシウム（ＣａＣｌ2 、ＣａＣｌ2・Ｈ2Ｏ、ＣａＣｌ2・２Ｈ2Ｏ）、塩化マグネシウム（ＭｇＣｌ2 、ＭｇＣｌ2・２Ｈ2Ｏ、ＭｇＣｌ2・４Ｈ2Ｏ）、塩化アルミニウム（ＡｌＣｌ3 、ＡｌＣｌ3・６Ｈ2Ｏ）等の塩化物、その他乾燥ミョウバン、酸化カルシウム、炭酸ナトリウム、炭酸カリウム、リン酸水素ナトリウム等がある。
【０００９】
また活性化ゼオライトとしては特に制限はないが、入手の容易性、経済性等からＮａ2Ｏ・Ａｌ2Ｏ3・２ＳｉＯ2・ＺＨ2Ｏ（Ｚは任意の数を示す。）で表されるゼオライトＡ−３、Ａ−４、Ａ−５が好ましい。またイオン交換、中性化処理等の特殊処理したゼオライトでもよい。
【００１０】
なおこれらの発熱物質の発熱量は、その物質固有であり、一般に同一無機物では結晶水の少ないものほど発熱量は大きい。本発明では、上記発熱物質を１種以上用いる。これら発熱物質の発熱体中の含有量は、例えば５〜９０重量％、特に１０〜８０重量％が好ましい。
【００１１】
またこれらの発熱物質は、急激な水和反応防止から、水溶性高分子で常法にて表面処理するのが好ましい。ここで水溶性高分子とは、例えばポリエチレングリコール、デキストリン、キサンタンガム、デンプン、グァーガム、カラギーナン、寒天、マンナン、ゼラチン、コラーゲン、メチルセルロース、エチルセルロース、カルボキシメチルセルロース、カゼイン、アルギン酸、ポリビニルアルコール、ポリアクリル酸塩、可溶性デンプン、アルブミン、アルギン酸塩等が挙げられ、これらを１種以上用い得る。水溶性高分子の発熱体中の含有量は特に制限はないが、例えば０．０１〜３５重量％、特に１〜２５重量％が好ましい。
【００１２】
本発明では、発熱体中に更に炭酸塩及び有機酸を加え、使用時に炭酸ガスを発生させるのが好ましい。炭酸ガスを発生させることで、発熱物質の水分による凝集や水和反応の抑制を防止し、十分な温熱効果が得られる。また炭酸塩と有機酸との反応が吸熱反応である場合、局所的な発熱物質の水和反応による温度変化を穏やかにし、発熱体の温度をほぼ一定温度に制御することができる。
【００１３】
炭酸塩には、例えば炭酸ナトリウム、炭酸水素ナトリウム、炭酸マグネシウム、炭酸カリウム、炭酸水素カリウム、セスキ炭酸ナトリウム等が挙げられる。本発明では、これらの炭酸塩を１種以上用い得る。有機酸には、例えばコハク酸、フマル酸、リンゴ酸、アジピン酸、酒石酸、クエン酸、マロン酸、マレイン酸等がある。本発明では、これらの有機酸を１種以上用い得る。また、かかる炭酸塩及び有機酸は水溶性高分子で常法にて表面処理すると、保存中の反応性を低下させ安定性を向上できる。水溶性高分子には、例えばポリエチレングリコール、デキストリン、キサンタンガム、デンプン、グアーガム、カラギーナン、寒天、マンナン、ゼラチン、コラーゲン、メチルセルロース、エチルセルロース、カルボキシメチルセルロース、カゼイン、アルブミン、アルギン酸塩等が挙げられ、これらを１種以上用い得る。
【００１４】
かかる炭酸塩及び有機酸の発熱体中の含有量は、それぞれ５〜６０重量％、特に１０〜４０重量％が、十分な発泡効果と発熱効果が得られるので好ましい。
【００１５】
また炭酸塩及び有機酸の発熱体中の総含有量は発熱物質の種類や含有量にもよるが、一般には５〜９０重量％、特に１０〜７５重量％が、発熱物質の凝集を十分に防止するとともに、湯熱効果が得られるので好ましい。
【００１６】
本発明では、発熱体に親水性高分子を加えると、発熱物質の水和反応時の温度変化を穏やかにし、発熱体の温度をほぼ一定に制御することができる。かかる親水性高分子としては、上記の発熱物質を表面処理する場合に例示された水溶性高分子の他、例えばポリビニルピロリドン、ポリアクリルアミド、カルボキシメチルセルロース、カチオン化ヒドロキシエチルセルロース等が挙げられ、これらを１種以上用い得る。かかる親水性高分子の発熱体中の含有量は、発熱物質の表面処理に用いられる水溶性高分子以外に、例えば０．０１〜２０重量％、特に１〜１０重量％が発熱物質の凝集を十分に防止するとともに十分な温熱効果が得られ好ましい。
【００１７】
発熱体は身体に局所適用したときに３７〜５５℃に発熱するのが好ましく、シャワー温湯の温度より１℃以上高く発熱することが特に好ましい。また発熱体がシャワー温湯より１℃以上高く発熱する持続時間は、１〜６０分間であるのが好ましく、２分間以上が特に好ましい。かかる発熱体の水和反応による発熱量は、上記の発熱物質等の含有量の調整以外に混合される水分量の調整により制御できる。
【００１８】
発熱体には更に発熱体の保存安定性向上のため酸化マグネシウム、ショ糖エステル、ブドウ糖等の安定化剤、熱の放射抑制、分散安定化等のためヒドロキシプロピルセルロース、ポリペプチド、シリカ粉、タルク粉、カオリン、シリコンビーズ等の保型剤、その他ピロリドンカルボン酸塩、尿素、アミノ酸、公知の湿潤剤、防腐剤、殺菌剤、消炎剤、収斂剤、止血剤、鎮痛剤、ビタミン及びその誘導体、キレート剤、粘度調整剤、気泡剤、清涼剤、冷感剤、温感剤、動植物エキス、色素、香料等を配合できる。発熱体は上記発熱物質、炭酸塩、有機酸及び親水性高分子等を常法にて混合、撹拌、加熱、冷却等し、粉末状、クリーム状、固形状、ジェル状等任意の剤型に成形できる。
【００１９】
このような発熱体は、通水部及び接着部を有する容器に内蔵される。通水部は、例えばポリエチレン、ポリプロピレン等の通水性を有する不織布、織布、紙等からなり、接着部は、例えば身体に対して低刺激性のアクリル系樹脂等の接着剤を塗布した不織布、織布、紙等からなるのが好ましい。また、これら以外の部分は、例えばエチレン・酢酸ビニル共重合体（ＥＶＡ）、ポリエチレン等の非通水性のフィルム等であるのが好ましい。容器は、その少なくとも一部に通水部及び接着部を有するものであれば制限されないが、例えば片面が、全部又は一部が通水性の通水層で、他面が接着層からなる袋状体が好ましい。
【００２０】
発熱体を内蔵した容器は、粘着部を皮膚の局所に圧着又は接着して使用する。身体の局所に特に制限はないが、例えば肩こり、腰痛等の患部等が挙げられる。圧着又は接着後、シャワーにより水を供給して発熱させるが、シャワー温湯の温度は一般的に入浴する温度、３３〜４５℃であり、３５〜４３℃が好ましい。シャワーをかける部位は全身でもあるいは一部でも良い。一部とは温熱処理対象部位を含んだ例えば上肢部、下肢部、頸部、背腰部、上腕部、脚部等が挙げられる。
本発明では、３３〜４５℃のシャワー温湯を供給することにより、容器を圧着又は接着した身体の局所及びその周辺部を３７〜５５℃の該温湯より高い温度、好ましくは１℃以上高い温度で温熱処理することができる。周辺部とは、温熱処理した局所周辺部であり、表面積として、温熱処理した局所の面積の好ましくは約２倍以上、特に好ましくは約６倍以上である。
【００２１】
温熱処理時間（シャワーをかけている時間）は、温湯や水蒸気雰囲気の温度、発熱物質や有機酸、炭酸塩等の種類、含有量等にもよるが、一般に１分間以上、特に２分間以上が好ましい。
【００２２】
【実施例】
実施例１
表１に示す組成の発熱体を調製し、得られた各発熱体を縦５cm、横３cm、高さ３mmの直方体で、直方体を構成する縦及び横で囲まれた２つの面のうち１面は、非通水性のフィルム（ＥＶＡフィルム）に６つの直径６mmの穴が空き、そのフィルムの内側が通水性の不織布（ポリエチレン）からなり、他の１面は非通水性の粘着面（ＥＶＡフィルムにアクリル系接着剤を塗布したもの）からなり、側面は該１面の非通水性のフィルムと同一素材からなる包装袋に入れ、局所温熱構造物を得た。
【００２３】
【表１】
0004054446.tif 000002
【００２４】
試験例１
実施例１で得られた局所温熱構造物（本発明品１）を前腕部に付着させ、直ちに前腕部全体に４０℃のシャワーをかけ、５分間保持した（温熱処理）。温熱処理中の包装袋の皮膚接触部分の温度は４４℃であった。また、同時にもう一方の前腕は室温（２５℃）において４４℃のコントロールヒーター（前腕接触部分縦５cm、横３cm）で５分間温熱処理した。
次いで、温熱処理前と、温熱処理終了直後、終了５分後及び３０分後における包装袋付着部位及びヒーター接触部分の皮膚表面温度の差を測定した。結果を表２に示す。
尚、構造物の表面温度は熱電対温度計、皮膚表面温度はサーモグラフィーで測定した。
【００２５】
【表２】
0004054446.tif 000003
【００２６】
表２より、本発明の構造物を用いて局所温熱処理することにより、局所温熱処理部分は皮膚温度が高く、またその持続性も高かった。
【００２７】
試験例２
実施例１で得られた局所温熱構造物（本発明品１及び比較品１）を用い、試験例１と同様にして温熱処理をした。次いで、温熱処理前と、温熱処理終了直後、終了５分後及び終了３０分後とにおける前腕の内側部全領域の皮膚平均温度の差を測定した。また４０℃の温湯に１０分間浸漬した場合について同様に皮膚平均温度の差を測定した（対照）。結果を表３に示す。なお温熱処理中の構造物の皮膚接触部分の温度は本発明品１は４４℃、比較品１は３８℃であった。また発熱体の表面温度は熱電対温度計、皮膚表面温度はサーモグラフィーで測定した。
【００２８】
【表３】
0004054446.tif 000004
【００２９】
表３より、本発明の局所温熱構造物を用いて局所温熱処理すると、局所温熱処理した部位及びその周辺の比較的広い範囲で皮膚温度が高く、また、その持続性が高かった。
【００３０】
試験例３
実施例１で得られた局所温熱構造物（本発明品２〜５、比較品１）を、肩こり症状を有する各１０名のパネラーの片方の肩に付着し、３８℃のシャワーを５分間かけた（温熱処理）。温熱処理中の構造物の皮膚接触部分の温度を試験例１と同様に測定した。対照群１０名のパネラーは該構造物を肩に付着せずに、３８℃のシャワーを５分間かけた。次いで、各パネラーの肩部及びその周辺の温まり感及び肩こりの緩和効果を以下の評価基準（１０名の合計点）で評価した。結果を表４に示す。
（評価基準）
（１）温まり感；
３：非常に温かく気持ちがよい
２：温かく気持ちがよい
１：やや温かく気持ちがよい
０：温かさを全く感じない
（２）肩こり緩和効果；
３：肩が非常に軽くなった
２：肩が軽くなった
１：肩がやや軽くなった
０：肩こり症状が全く軽減されなかった
【００３１】
【表４】
0004054446.tif 000005
【００３２】
表４より、本発明の局所温熱構造物を用いてシャワーにより温熱処理した場合には、温まり感、肩こり緩和効果とも優れていた。
【００３３】
【発明の効果】
本発明の局所温熱構造物を用いれば、局所及びその周辺部でシャワー中に優れた温熱効果が得られる。